(57)【要約】【課題】ファインダ装置まわりの配置の省スペ−ス化により、カメラボディのコンパクト化が可能でデザイン上の制約も少ないスーパーインポーズ表示を行う一眼レフレックスカメラを提供する。【解決手段】一眼レフカメラ１は、スーパーインポーズ表示が可能なカメラであり、交換式レンズ鏡筒３１と該レンズ鏡筒が着脱可能なカメラボディ２とからなり、カメラボディ２には、撮影光の光軸Ｏの上方部にリレー光学系ファインダ装置１１が配されている。このファインダ装置１１には、終段の斜設ミラー１６とルーペ１８との間にスーパーインポーズ表示スクリーン４７が配されており、該スクリーン４７の後方上部位置にスーパーインポーズ表示（ＡＦ枠表示）用投光装置２０が配されている。投光装置２０よりＡＦ枠表示光束がスーパーインポーズ表示スクリーン４７に向けて射出される。【選択図】図１
2006317713.tif 000002
【特許請求の範囲】
【請求項１】
撮影レンズからの被写体光束を上方に反射させる第一の反射ミラーと、
上記第一の反射ミラーの上方に配置され、上記第一の反射ミラーから反射された撮影レンズからの被写体光束を結像させる第一の焦点板と、
上記第一の焦点板の上方に配置され、上記第一の焦点板からの結像光をカメラ後方へ反射する第二の反射ミラーと、
上記第二の反射ミラーからの結像光をリレーしてカメラ後方へ射出するリレーレンズ系と、
上記リレーレンズ系から射出された上記結像光を受けてカメラ下方へ反射する第三の反射ミラーと、
上記第三の反射ミラーの下方に配置され、上記第三の反射ミラーからの上記結像光をカメラ後方へ反射する第四の反射ミラーと、
スーパーインポーズのための表示用プリズムが設けられ、上記第四の反射ミラーで反射された上記結像光を受けて結像を行なう第二の焦点板と、
スーパーインポーズのための上記表示用プリズムに投光するため、上記結像光の光路外であって、上記第二の焦点板より後方に配置された投光手段と、
を有することを特徴とするスーパーインポーズ表示を行う一眼レフレックスカメラ。
【請求項２】
撮影レンズからの被写体光束を上方に反射させる第一の反射ミラーと、
上記第一の反射ミラーの上方に配置され、上記第一の反射ミラーから反射された撮影レンズからの被写体光束を結像させる第一の焦点板と、
上記焦点板の上方に配置され、上記第一の焦点板からの結像光をカメラ後方へ反射する第二の反射ミラーと、
上記第二の反射ミラーからの結像光をリレーしてカメラ後方へ射出するリレーレンズ系と、
上記リレーレンズ系から射出された上記結像光を受けてカメラ下方へ反射する第三の反射ミラーと、
上記第三の反射ミラーの下方に配置され、上記第三の反射ミラーからの上記結像光をカメラ後方へ反射ナる第四の反射ミラーと、
スーパーインポーズのための表示用プリズムが設けられ、上記第四の反射ミラーで反射された上記結像光を受けて結像を行なう第二の焦点板と、
スーパーインポーズのための上記表示用プリズムに投光するため、上記結像光の光路外であって上記第二の焦点板より前方に配置された投光手段と、
を有することを特徴とするスーパーインポーズ表示を行う一眼レフレックスカメラ。
【請求項３】
上記投光手段は、上記第三の反射ミラーと第四の反射ミラーとの間の上記結像光の光路外に配置されていることを特徴とする請求項２に記載のスーパーインポーズ表示を行う一眼レフレックスカメラ。
【発明の詳細な説明】
【技術分野】
【０００１】
本発明は、スーパーインポーズ表示を行う一眼レフレックスカメラに関する。
【背景技術】
【０００２】
従来より複数の測距視野を有するカメラ等において用いられ、選択された測距視野をファインダー視野内の被写体像に重ねて表示するいわゆるスーパーインポーズ表示技術が知られている。
【０００３】
特許文献１に開示の一眼レフレックスカメラのスーパーインポーズ表示装置は、カメラのフオーカシングスクリーンに隣接して設けられた反射板上、すなわち、表示部材上に微小プリズムの集合体による表示部を形成し、これを斜め方向から照明した際、プリズムで反射した光だけがファインダー光学系を通して見えると言った原理の発光型スーパーインポーズ表示に関するものであり、複数の発光素子と、該複数の発光素子より発した光束が入射する光偏向手段（投光レンズ）と、撮影レンズの予定詰像面あるいはその近傍に配置され、該光偏向手段から射出した上記複数の発光素子からの光束の作用による、上記発光素子に対応した表示部を有する表示部材とを具備している。上記光偏向手段は、該光偏向手段から射出した複数の発光素子の光束をペンタプリズムの前方斜め上方の面から入射させ、さらに、上記表示部の斜め上方から光束を入射させるように配置され、上記各表示部は、２つの全反射によって前記斜め上方から入射した光束を上方へ偏向するように構成されている。前記光偏向手段は、前記複数の発光素子に対応した複数の反射面を備え、上記複数の発光素子より発した光束は、該反射面を介してそれぞれ上記表示部材に対応した表示部に到達するとともに、上記複数の反射面のそれぞれに対応する発光素子に対して互いに近づく方向の偏向作用を及ぼすように該複数の反射面を設定したことを特徴とする。この構成によれば、表示部を撮影画面内の広範囲に置いた際にも発光素子のコンパクトなレイアウトを可能とするものである。
【特許文献１】特許第３２７２８７１号公報である。
【発明の開示】
【発明が解決しようとする課題】
【０００４】
上述した特許文献１に開示された一眼レフレックスカメラのスーパーインポーズ表示装置は、上記複数の発光素子および上記光偏向手段（投光レンズ）が上記ペンタプリズムの上部に配置されることから、例えば、上記ペンタプリズム、あるいは、ファインダ装置の上方位置にストロボ発光部等を配置する構造を採用するものに対しては、高さ方向の寸法が大きくなり、カメラの小型化やコンパクト化に支障が生じる。また、デザイン上の制約も生じる。
【０００５】
本発明は、上述の問題を解決するためになされたものであり、ファインダ装置まわりの配置の省スペ−ス化により、カメラボディのコンパクト化が可能でデザイン上の制約も少ないスーパーインポーズ表示を行う一眼レフレックスカメラを提供することを目的とする。
【課題を解決するための手段】
【０００６】
本発明の請求項１記載のスーパーインポーズ表示を行う一眼レフレックスカメラは、撮影レンズからの被写体光束を上方に反射させる第一の反射ミラーと、上記第一の反射ミラーの上方に配置され、上記第一の反射ミラーから反射された撮影レンズからの被写体光束を結像させる第一の焦点板と、上記第一の焦点板の上方に配置され、上記第一の焦点板からの結像光をカメラ後方へ反射する第二の反射ミラーと、上記第二の反射ミラーからの結像光をリレーしてカメラ後方へ射出するリレーレンズ系と、上記リレーレンズ系から射出された上記結像光を受けてカメラ下方へ反射する第三の反射ミラーと、上記第三の反射ミラーの下方に配置され、上記第三の反射ミラーからの上記結像光をカメラ後方へ反射する第四の反射ミラーと、スーパーインポーズのための表示用プリズムが設けられ、上記第四の反射ミラーで反射された上記結像光を受けて結像を行なう第二の焦点板と、スーパーイン＋ポーズのための上記表示用プリズムに投光するため、上記結像光の光路外であって、上記第二の焦点板より後方に配置された投光手段とを有する。
【０００７】
本発明の請求項２記載のスーパーインポーズ表示を行う一眼レフレックスカメラは、撮影レンズからの被写体光束を上方に反射させる第一の反射ミラーと、上記第一の反射ミラーの上方に配置され、上記第一の反射ミラーから反射された撮影レンズからの被写体光束を結像させる第一の焦点板と、上記焦点板の上方に配置され、上記第一の焦点板からの結像光をカメラ後方へ反射する第二の反射ミラーと、上記第二の反射ミラーからの結像光をリレーしてカメラ後方へ射出するリレーレンズ系と、上記リレーレンズ系から射出された上記結像光を受けてカメラ下方へ反射する第三の反射ミラーと、上記第三の反射ミラーの下方に配置され、上記第三の反射ミラーからの上記結像光をカメラ後方へ反射ナる第四の反射ミラーと、スーパーインポーズのための表示用プリズムが設けられ、上記第四の反射ミラーで反射された上記結像光を受けて結像を行なう第二の焦点板と、スーパーインポーズのための上記表示用プリズムに投光するため、上記結像光の光路外であって上記第二の焦点板より前方に配置された投光手段とを有する。
【０００８】
本発明の請求項３記載のスーパーインポーズ表示を行う一眼レフレックスカメラは、請求項２に記載のスーパーインポーズ表示を行う一眼レフレックスカメラにおいて、上記投光手段は、上記第三の反射ミラーと第四の反射ミラーとの間の上記結像光の光路外に配置されている。
【発明の効果】
【０００９】
本発明によれば、ファインダ装置まわりの配置の省スペ−ス化により、カメラボディのコンパクト化が可能でデザイン上の制約も少ないスーパーインポーズ表示を行う一眼レフレックスカメラを提供することができる。
【発明を実施するための最良の形態】
【００１０】
以下、図を用いて本発明の実施形態について説明する。  
図１は、本発明の第一の実施形態である一眼レフレックスカメラ（以下、一眼レフカメラと記載する）の要部配置を示す断面図である。図２は、上記一眼レフレックスカメラのファインダ装置に組み込まれるスーパーインポーズ表示スクリーンの斜視図である。図３は、上記スーパーインポーズ表示スクリーンの表示用プリズム部の部分拡大縦断面図である。図４は、上記一眼レフレックスカメラにおけるファインダ視野枠内の被写体とＡＦ枠との配置を示す図である。
【００１１】
図１に示すように本実施形態の一眼レフカメラ１は、カメラボディ２と該カメラボディに着脱可能な撮影レンズ３２を有するレンズ鏡筒３１とからなり、スーパーインポーズ表示が可能な一眼レフカメラである。なお、一眼レフカメラ１において、レンズ鏡筒３１は、撮影レンズの被写体光束の光軸Ｏを有し、該光軸Ｏは、カメラ装着状態では、カメラボディ２側光軸Ｏと一致する。また、光軸Ｏに対して直交する上下方向をＹ方向とする。光軸Ｏにおいて、被写体方向を前方、撮影被写体像結像側を後方とする。Ｙ方向において、カメラボディのストロボ発光部２９配置側（後述）を上方（＋側）とする。
【００１２】
カメラボディ２は、その前面部にレンズ鏡筒装着用のボディマウント部２ａを有しており、そのカメラボディ２の内部には、光軸Ｏに沿って第一の反射ミラーであるメインミラー３と、フォーカルプレーン式シャッタ４と、光学フィルタ５と、撮像素子基板７上に実装された撮像素子６と、カメラ制御用メイン基板８とが配されており、さらに、メインミラー３，撮像素子６等のＹ方向上部にファインダ装置１１が配され、ファインダ装置１１の上方にストロボ発光部２９が配されている。メインミラー３は、ファインダ観察時に被写体光束の光路上の斜設位置と、被写体撮影時に該光路から退避する退避位置とに回動可能である。
【００１３】
カメラボディ２の後方部にＬＣＤモニタ２５部が配されている。該モニタ部はモニタ窓２６を通して観察可能である。
【００１４】
ファインダ装置１１の上方のカメラボディ２の外部に配されるストロボ発光部２９は、発光可能位置と収納位置に回動可能であり、内部にストロボ発光管３０が配されている。
【００１５】
カメラボディ底面部には、三脚ネジ部２ｂが配されている。
【００１６】
ファインダ装置１１は、屈折したファインダ光軸Ｏｆを有するリレー光学系ファインダ装置であって、メインミラー３と、メインミラー３の上方であって、被写体光束が結像する一次結像面位置に配される第一の焦点板としてのフォーカシングスクリーン１２と、フォーカシングスクリーン１２の上方に斜設状態で配される第二の反射ミラーとしての斜設ミラー１３と、斜設ミラー１３の後方に配されるリレーレンズ系１４と、リレーレンズ系１４の後方に斜設状態で配される第三の反射ミラーとしての斜設ミラー１５と、斜設ミラー１５の下方に斜設状態で配される第四の反射ミラーとしての斜設ミラー１６と、斜設ミラー１６の後方であって、被写体光束が結像する二次結像面に配される第二の焦点板としてのスーパーインポーズ表示スクリーン１７と、該スクリーン１７の後方に配されるルーペ１８と、ファインダ光軸Ｏｆの光路外であって、スーパーインポーズ表示スクリーン１７の後方上部に配される投光手段としての投光装置２０と、ルーペ１８の後方に配される接眼ガラス２７と、接眼ガラス２７の外側周囲に配されるアイカップ装着枠２８とを有してなる。
【００１７】
投光装置２０は、ファインダ視野枠３３上のＡＦ枠（測距枠）３３ａ，ｂ，ｃ（図４）の個数に応じた複数個のＬＥＤ２１と、各ＬＥＤ２１の前面に配され、ＡＦ枠形状に応じて不要光をカットする複数の各ＬＥＤに対応したＡＦ枠マスク２２と、ＡＦ枠マスク２２の前面に配される投光用プリズム２３とを有してなる。
【００１８】
投光用プリズム２３は、アクリルなどのプラスチックでできており、入射光の向きを変えるための反射面にアルミ蒸着などが施されて反射率を上げている。投光用プリズム２３の射出側はレンズ形状になっていて、その射出光はＡＦ枠マスク２２の開口を通過し、スーパーインポーズ表示スクリーン１７の表示用プリズム部１７ａ，１７ｂ，１７ｃ（図２）へ投射される。
【００１９】
なお、ＡＦ枠マスク２２は、プレス部品である。投光用プリズム２３は、成形プラスチックスチック部品であり、それぞれ３セット分を一体で形成してもよい。
【００２０】
ＬＥＤ２１は、本実施形態の例では、３つのＡＦ枠用に対応して３つが設けられ、それぞれ単独で点灯し、ＡＦ枠を１ずつ表示させることも可能である。また、ＬＥＤ２１の数を増やして３点以上の多点ＡＦ枠を表示することも可能である。
【００２１】
この投光装置２０において、ＬＥＤ２１からのＡＦ枠表示光束は、ＡＦ枠マスク２２を通過し、投光用プリズム２３で屈折され、スーパーインポーズ表示スクリーン１７の背面に所定の傾斜角度で入射する。
【００２２】
スーパーインポーズ表示スクリーン１７には図２に示すようにＡＦ枠を表示するための表示用プリズム部１７ａ，１７ｂ，１７ｃが前面側に設けられている。表示用プリズム部１７ａ，１７ｂ，１７ｃは、それぞれ枠状に沿った微細なプリズムで形成される。例えば、表示用プリズム部１７ａは、図３の拡大断面図に示すように、プリズム面１７a1，１７a2よりなり、投光用プリズム２３からのＡＦ枠表示用光線は、プリズム面１７a1で全反射し、さらに、プリズム面１７a2で全反射してルーペ１８に向けて射出される。また、該表示用プリズム部以外の部分ではリレーレンズ系１４からの被写体の結像光束が後方に透過される。
【００２３】
上述した構成を有する一眼レフカメラ１にてファインダ観察状態にあるときは、メインミラー３からの反射被写体光束は、フォーカシングスクリーン１２上に結像する。その結像光束は、斜設ミラー１３で後方のリレーレンズ系１４に向けて反射される。さらに、上記結像光束は、リレーレンズ系１４から後方の斜設ミラー１５に向けて射出され、さらに、斜設ミラー１５を経て斜設ミラー１６により後方のスーパーインポーズ表示スクリーン１７に向けて反射され、再度、結像する。
【００２４】
ＬＥＤ２１が点灯状態にあるとき、ＬＥＤ２１からのＡＦ枠表示光束は、投光用プリズム２３からスーパーインポーズ表示スクリーン１７に向けて射出される。そして、ＡＦ枠表示光束は、スーパーインポーズス表示クリーン１７上でリレーレンズ系１４を透過した被写体光束と重畳し、ルーペ１８を介して観察される。図４は、その観察表示例を示しており、ファインダ視野枠３３上には、被写体像３４に重畳した状態でＡＦ枠３３ｃが表示される。すなわち、ＡＦ枠３３ａ，３３ｂ，３３ｃのいずれかのＡＦ枠に被写体が重畳し、この被写体が合焦されるべき被写体であると判断されれば、この被写体と重畳したＡＦ枠が対応するＬＥＤの発光により表示されることになる。また、複数の被写体が合焦されるべき状態にあれば、これら複数の被写体に対応したＡＦ枠の表示は、同時に複数表示されることもある。
【００２５】
撮影状態にあるときは、メインミラー３が光軸Ｏの光路外に退避しており、被写体光束は、シャッタ５，さらに、光学フィルタ５を透過して撮像素子６の光電変換面上に結像する。撮像素子６により被写体像が電気的撮像信号に変換される。該電気的撮像信号は、メイン基板８に配されている画像処理部（図示せず）により画像処理が施され、撮影画像データとして記録媒体（図示せず）に記録される。
【００２６】
以上、説明したように本実施形態の一眼レフカメラ１は、ファインダ装置１１として従来のペンタプリズムを適用せず、複数の反射ミラーとリレーレンズ系とスーパーインポーズ表示スクリーンとを適用するものであり、スーパーインポーズ表示のための投光装置２０をスーパーインポーズ表示スクリーンの後方上部に配するよう構成した。従って、カメラボディ２のファインダ装置１１の上側にストロボ発光部２９等を配するようなカメラボディ構造を採用したとしてもカメラボディ２の高さ（Ｙ方向）が著しく高くなることがなく、カメラのコンパクト化が可能になり、デザイン上の制約も少なくなる。
【００２７】
次に、本発明の第二の実施形態の一眼レフカメラについて、図５，６を用いて説明する。  
図５は、本実施形態の一眼レフカメラの要部配置を示す断面図である。図６は、上記一眼レフカメラに適用されるスーパーインポーズ表示スクリーンの表示用プリズム部の部分拡大縦断面図である。
【００２８】
図５に示すように本実施形態の一眼レフカメラ５１は、第一の実施形態の一眼レフカメラ１に対してファインダ装置１１に組み込まれるスーパーインポーズ表示用投光手段としての投光装置４０が第二の焦点板であるスーパーインポーズ表示スクリーン４７の後方上部ではなく、該スクリーン４７の前方であって、第四反射板である斜設ミラー１６の上部前方位置（ファインダ光束の光路外）に配置されていることが異なっている。他の構成は、第一の実施形態の構成と同様であり、同様の構成部材に対しては、同一符号を付して、以下、異なる点について説明する。
【００２９】
投光装置４０は、投光装置２０の場合と同様にファインダ視野枠３３上のＡＦ枠（測距枠）３３ａ，ｂ，ｃ（図４）の個数に応じた複数個のＬＥＤ４１と、ＬＥＤ４１の前面に配され、ＡＦ枠形状を与えるＡＦ枠マスク４２と、ＡＦ枠マスク４２の前面に配される投光用プリズム４３とを有してなる。
【００３０】
投光用プリズム４３は、アクリルなどのプラスチックでできており、入射光の向きを変えるための反射面にはアルミニウム蒸着などが施され、反射率を上げている。投光用プリズム４３の射出側はレンズ形状になっていて、その射出光はＡＦ枠マスク４２の開口形状をスーパーインポーズ表示スクリーン４７の前面側の表示用プリズム部４７ａ，４７ｂ，４７ｃへ投射される。
【００３１】
ＡＦ枠マスク４２は、プレス部品であり、投光用プリズム４３は、成形プラスチックスチック部品であり、それぞれ３セット分を一体で形成してもよい。
【００３２】
ＬＥＤ４１は、本実施形態の例では、３つのＡＦ枠用として３つが設けられ、それぞれ単独で点灯し、ＡＦ枠を一つずつ表示させることも可能である。また、ＬＥＤ４１の数を増やして３点以上の多点ＡＦ枠を表示することも可能である。
【００３３】
この投光装置４０では、ＬＥＤ４１からのＡＦ枠表示光束は、ＡＦ枠マスク４２を通過し、投光用プリズム４３で屈折され、スーパーインポーズ表示スクリーン４７の前面に所定の傾斜角度で入射する。
【００３４】
スーパーインポーズ表示スクリーン４７にはＡＦ枠を表示するための表示用プリズム部４７ａ，４７ｂ，４７ｃがその背面側に設けられている。表示用プリズム部４７ａ，４７ｂ，４７ｃは、それぞれ枠状に沿った微細なプリズムより構成される。例えば、表示用プリズム部４７ａは、図６の拡大断面図に示すようにプリズム面４７a1，４７a2よりなり、投光用プリズム４３からのＡＦ枠表示用光線は、プリズム面４７a1で屈折されて、ルーペ１８に向けて射出される。また、該表示用プリズム部以外の部分でリレーレンズ系１４からの被写体の結像光束が後方に透過される。
【００３５】
上述した構成を有する一眼レフカメラ５１のファインダ装置１１において、ファインダ観察状態でメインミラー３からの反射被写体光束は、フォーカシングスクリーン１２上に結像する。その結像光束は、斜設ミラー１３で後方のリレーレンズ系１４に向けて反射される。該結像光束は、リレーレンズ系１４から後方の斜設ミラーに向けて射出され、さらに、斜設ミラー１５と斜設ミラー１６で後方のスーパーインポーズ表示スクリーン４７に向けて反射される。
【００３６】
そして、ＬＥＤ４１が点灯状態にあるとき、ＬＥＤ４１からのＡＦ枠表示光束は、投光用プリズム４３からスーパーインポーズ表示スクリーン４７に向けて射出される。そして、ＡＦ枠表示光束は、スーパーインポーズ表示スクリーン４７上でリレーレンズ系１４を透過した被写体光束と重畳し、ルーペ１８を介して観察される。
【００３７】
上述したように本実施形態の一眼レフカメラ５１によれば、前記第一の実施形態の場合と同様の効果を奏するが、特に本実施形態では投光装置４０をファインダ装置１１の内部（スーパーインポーズ表示スクリーン４７の前方位置）に配置されることから投光装置を含むファインダ装置１１の占有スペ−スがさらに少なくなり、一眼レフカメラ５１のコンパクト化に効果がある。
【００３８】
なお、上述した各実施形態におけるファインダ装置は、スーパーインポーズ表示の一例としてＡＦ枠の表示を行うような実施形態として説明したが、ＡＦ枠の表示に限らず、他のスーパーインポーズ表示を行うファインダ装置にも本発明の構成を適用することは可能である。
【００３９】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００４０】
例えば、各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【産業上の利用可能性】
【００４１】
本発明によるスーパーインポーズ表示を行う一眼レフカメラは、ファインダ装置まわりの配置の省スペ−ス化により、カメラボディのコンパクト化が可能でデザイン上の制約も少ないスーパーインポーズ表示を行う一眼レフカメラとして利用が可能である。
【図面の簡単な説明】
【００４２】
【図１】本発明の第一の実施形態である一眼レフレックスカメラの要部配置を示す断面図である。
【図２】図１の一眼レフレックスカメラのファインダ装置に組み込まれるスーパーインポーズスクリーンの斜視図である。
【図３】図２のスーパーインポーズスクリーンの表示用プリズム部の部分拡大縦断面図である。
【図４】図１の一眼レフレックスカメラにおけるファインダ視野枠内の被写体とＡＦ枠との配置を示す図である。
【図５】本発明の第二の実施形態である一眼レフレックスカメラの要部配置を示す断面図である。
【図６】図５の一眼レフレックスカメラに適用されるスーパーインポーズスクリーンの表示用プリズム部の部分拡大縦断面図である。
【符号の説明】
【００４３】
３  …メインミラー（第一の反射ミラー）
１２  …フォーカシングスクリーン
（第一の焦点板）
１３  …斜設ミラー（第二の反射ミラー）
１４  …リレーレンズ系
１５  …斜設ミラー（第三の反射ミラー）
１６  …斜設ミラー（第四の反射ミラー）
１７，４７
…スーパーインポーズ表示スクリーン
（第二の焦点板）
１７ａ，１７ｂ，１７ｃ，
４７ａ，４７ｂ，４７ｃ
…表示用プリズム部
（スーパーインポーズ表示用プリズム）
２０，４０
…投光装置（投光手段）
３２  …撮影レンズ
【図１】
2006317713.tif 000003
【図２】
2006317713.tif 000004
【図３】
2006317713.tif 000005
【図４】
2006317713.tif 000006
【図５】
2006317713.tif 000007
【図６】
2006317713.tif 000008